(57)【要約】【課題】  高さ調節の際のネジ締めを不要とすることにより、ネジ締めの労力と手間が掛からず且つフレームの固定不足による危険を皆無とし、また、左右の高さを簡単な操作で正確に揃えることができるので、面倒な作業や手間が掛からず且つ見た目もよく充分な強度と安定性を備え、さらに、優れた外観及び機能美を兼備したワンタッチ操作で高さ調節を容易且つ確実に行うことのできる伸縮式衣服掛けを提供する。【解決手段】  係止凹部が穿設された内嵌サイドフレームを備えるハンガー部材と、内嵌サイドフレームが摺動自在な状態で嵌入された外嵌サイドフレームを備える基台部材と、貫通孔が掘穿された短尺円筒体と該貫通孔に対して出没自在にスプリングによって常時内方に付勢された係止爪を備えるレバーとを有し、前記基台部材の外嵌サイドフレームの夫々の上端に冠着されたジョイント部材とからなるようにした。【選択図】  図１
0003110836.tif 000002
【実用新案登録請求の範囲】
【請求項１】
（Ａ１）相対向する内側面に所定間隔で複数の係止凹部が穿設された一対の内嵌サイドフレームと該一対の内嵌サイドフレームの上端の間に横架されたハンガーフレームとからなるハンガー部材と、
（Ｂ１）基台本体と該基台本体の上方に立設され且つ前記ハンガー部材の一対の内嵌サイドフレームが摺動自在な状態で嵌入された左右一対の外嵌サイドフレームとからなる基台部材と、
（Ｃ１）貫通孔が掘穿された短尺円筒体と該貫通孔に対して出没自在にスプリングによって常時内方に付勢された係止爪を備えるレバーとを有し、前記基台部材の一対の外嵌サイドフレームの夫々の上端に冠着されたジョイント部材と、
からなり、前記ジョイント部材の係止爪を前記ハンガー部材の一対の内嵌サイドフレームの係止凹部のいずれかに係合せしめることにより、該ハンガー部材を前記基台部材に対して係止せしめるようにしたことを特徴とする伸縮式衣服掛け。
【請求項２】
（Ａ２）相対向する内側面に所定間隔で複数の係止凹部が穿設された左右二対の内嵌サイドフレームと該二対の内嵌サイドフレームの上端の間に夫々横架されたハンガーフレームとからなる第１及び第２のハンガー部材と、
（Ｂ２）基台本体と該基台本体の上方に立設され且つ前記第１及び第２のハンガー部材夫々の二対の内嵌サイドフレームが摺動自在な状態で嵌入された左右二対の外嵌サイドフレームとからなる基台部材と、
（Ｃ２）リブで一体的に連成してなる貫通孔が掘穿された二つの短尺円筒体と該貫通孔に対して出没自在にスプリングによって常時内方に付勢された係止爪を備えるレバーとを有し、前記基台部材の二対の外嵌サイドフレームの夫々の上端に一対側から他対側にリブを掛架するように冠着された二組のジョイント部材と、
からなり、前記二組のジョイント部材の係止爪を前記第１及び第２のハンガー部材の二対の内嵌サイドフレームの係止凹部のいずれかに係合せしめることにより、該第１及び第２のハンガー部材を前記基台部材に対して係止せしめるようにしたことを特徴とする伸縮式衣服掛け。
【請求項３】
前記内嵌サイドフレームは、その夫々の下端に前記ジョイント部材の短尺円筒体の内壁段部と係合する抜け落ち防止ストッパーを嵌着してなることを特徴とする請求項１又は２記載の伸縮式衣服掛け。
【請求項４】
前記係止凹部は、その上端を平坦面とされ、その下部を前記内嵌サイドフレームの内方から外方に向かう傾斜面とされていることを特徴とする請求項１〜３のいずれか１項記載の伸縮式衣服掛け。
【請求項５】
前記係止爪は、その上端を平坦面とされ、その下部を前記短尺円筒体の内方から外方に向かう傾斜面とされていることを特徴とする請求項１〜４のいずれか１項記載の伸縮式衣服掛け。
【請求項６】
前記基台本体は、回動自在な車輪を備えるキャスターを四隅の下端面に付設してなることを特徴とする請求項１〜５のいずれか１項記載の伸縮式衣服掛け。
【請求項７】
前記各フレームは、内部中空のパイプ材であることを特徴とする請求項１〜６のいずれか１項記載の伸縮式衣服掛け。
【考案の詳細な説明】
【技術分野】
【０００１】
本考案は、衣服類を掛けておくのに用いられる衣服掛けに係り、特には、パイプ材のフレームを高さ方向で伸縮自在とした伸縮式衣服掛けに関する。
【背景技術】
【０００２】
従来より、家庭や店頭・店内等で衣服類を掛けておく（衣服類をハンガーに掛止して吊り下げておく）のに用いられる衣服掛け（ハンガーラック或いは単にハンガー等とも呼ばれる）がある。衣服掛けとしては、ステンレス等の金属製のパイプ材からなるフレームを組み立ててなるものが広く用いられており、利便性や汎用性等の観点から、その高さ方向に伸縮自在とされた伸縮式の衣服掛けも広く知られている（例えば、特許文献１〜特許文献３参照）。
【０００３】
この従来の伸縮式衣服掛けにおいて、その高さ方向で伸縮自在とする構造については、両サイドのフレームとなるパイプ材を小径の内嵌パイプと大径の外嵌パイプとから構成して内嵌パイプを外嵌パイプに摺動自在な状態で嵌入し、適宜な高さ位置で、外嵌パイプに穿設された雌ネジ孔に雄ネジを螺入して外嵌パイプ内の内嵌パイプを押さえ付けて締着固定することにより任意の高さに調節可能としたものが一般的である（例えば、特許文献１〜特許文献３参照）。
【０００４】
しかしながら、このような構造の従来の衣服掛けにあっては、以下の欠点がある。
（イ）高さ調節の際のネジ締めに相当の力を要するために労力と手間が掛かる。特に腕力・握力の弱い年少者、女性、高齢者等ではネジ締めによるフレームの固定が不充分となる場合があり、大量の衣服類を吊り下げる等してフレームに荷重が大きく掛かった際に、不用意にフレームの固定が解除されて落下してしまう等の危険がある。（ロ）両サイドのフレームの夫々のパイプ材につき別々にネジ締め作業が必要となるため、左右の高さを正確に合わせるのが非常に面倒で手間が掛かる。左右の高さが正確に揃っていないと見た目が悪いだけでなく、フレームに荷重が均等に掛からないために強度や安定性の問題となり得る。（ウ）外嵌パイプに穿設された剥き出しの雌ネジ孔に雄ネジを螺入するという機構は、その外観や機能美の観点から見ても特に優れたものとは言えない。衣服掛けはインテリアの一部となり得るものであるから、その外観及び機能美の観点からも優れたものであることが望ましい。
【特許文献１】特開平８−１９４６５号公報
【特許文献２】特開平７−１５５２２７号公報
【特許文献３】特開平８−１７３２４６号公報
【特許文献４】特開平３−１８３０６号公報
【考案の開示】
【考案が解決しようとする課題】
【０００５】
本考案は、上記問題点に鑑みて為されたものであり、高さ調節の際のネジ締めを不要とすることにより、ネジ締めの労力と手間が掛からず且つフレームの固定不足による危険を皆無とし、また、左右の高さを簡単な操作で正確に揃えることができるので、面倒な作業や手間が掛からず且つ見た目もよく充分な強度と安定性を備え、さらに、優れた外観及び機能美を兼備したワンタッチ操作で高さ調節を容易且つ確実に行うことのできる伸縮式衣服掛けを提供することを目的とする。
【課題を解決するための手段】
【０００６】
上記課題を解決するために、本考案の伸縮式衣服掛けの第１態様は、
（Ａ１）相対向する内側面に所定間隔で複数の係止凹部が穿設された一対の内嵌サイドフレームと該一対の内嵌サイドフレームの上端の間に横架されたハンガーフレームとからなるハンガー部材と、
（Ｂ１）基台本体と該基台本体の上方に立設され且つ前記ハンガー部材の一対の内嵌サイドフレームが摺動自在な状態で嵌入された左右一対の外嵌サイドフレームとからなる基台部材と、
（Ｃ１）貫通孔が掘穿された短尺円筒体と該貫通孔に対して出没自在にスプリングによって常時内方に付勢された係止爪を備えるレバーとを有し、前記基台部材の一対の外嵌サイドフレームの夫々の上端に冠着されたジョイント部材と、
からなり、前記ジョイント部材の係止爪を前記ハンガー部材の一対の内嵌サイドフレームの係止凹部のいずれかに係合せしめることにより、該ハンガー部材を前記基台部材に対して係止せしめるようにしたことを特徴とする。
【０００７】
本考案の伸縮式衣服掛けの第２態様は、
（Ａ２）相対向する内側面に所定間隔で複数の係止凹部が穿設された左右二対の内嵌サイドフレームと該二対の内嵌サイドフレームの上端の間に夫々横架されたハンガーフレームとからなる第１及び第２のハンガー部材と、
（Ｂ２）基台本体と該基台本体の上方に立設され且つ前記第１及び第２のハンガー部材夫々の二対の内嵌サイドフレームが摺動自在な状態で嵌入された左右二対の外嵌サイドフレームとからなる基台部材と、
（Ｃ２）リブで一体的に連成してなる貫通孔が掘穿された二つの短尺円筒体と該貫通孔に対して出没自在にスプリングによって常時内方に付勢された係止爪を備えるレバーとを有し、前記基台部材の二対の外嵌サイドフレームの夫々の上端に一対側から他対側にリブを掛架するように冠着された二組のジョイント部材と、
からなり、前記ジョイント部材の係止爪を前記第１及び第２のハンガー部材の二対の内嵌サイドフレームの係止凹部のいずれかに係合せしめることにより、該第１及び第２のハンガー部材を前記基台部材に対して係止せしめるようにしたことを特徴とする。
【０００８】
前記内嵌サイドフレームは、その夫々の下端に前記ジョイント部材の短尺円筒体の内壁段部と係合する抜け落ち防止ストッパーを嵌着してなることが好ましい。
【０００９】
前記係止凹部は、その上端を平坦面とされ、その下部を前記内嵌サイドフレームの内方から外方に向かう傾斜面とされていることが好適である。
【００１０】
前記係止爪は、その上端を平坦面とされ、その下部を前記短尺円筒体の内方から外方に向かう傾斜面とされていることが好適である。
【００１１】
前記基台本体は、回動自在な車輪を備えるキャスターを四隅の下端面に付設してなることが好適である。
【００１２】
前記各フレームは、内部中空のパイプ材であることが望ましい。
【考案の効果】
【００１３】
本考案によれば、高さ調節の際のネジ締めを不要とすることにより、ネジ締めの労力と手間が掛からず且つフレームの固定不足による危険を皆無とし、また、左右の高さを簡単な操作で正確に揃えることができるので、面倒な作業や手間が掛からず且つ見た目もよく充分な強度と安定性を備え、さらに、優れた外観及び機能美を兼備したワンタッチ操作で高さ調節を容易且つ確実に行うことのできる伸縮式衣服掛けを提供することができるという大きな効果を奏する。
【考案を実施するための最良の形態】
【００１４】
以下に本考案の実施の形態を添付図面に基づいて説明するが、本考案の技術思想から逸脱しない限りこれらの実施の形態について種々の変更又は変形が可能なことは言うまでもない。
【００１５】
図１は、本考案の伸縮式衣服掛けの第１態様を示す斜視図である。図２は、図１の正面図である。図３は、図２の側面図である。図４は、図２のＡ−Ａ断面図である。図５は、ハンガー部材を示す正面図である。図６は、図５のＢ−Ｂ断面図である。図７は、図６の下端部拡大図である。図８は、図７のＣ−Ｃ断面図である。図９は、基台部材を示す正面図である。図１０は、ジョイント部材の一例を示す正面図である。図１１は、図１０の側面図である。図１２は、図１０の平面図である。図１３は、図１０の底面図である。図１４は、図１０のＤ−Ｄ断面図である。図１５は、本考案の伸縮式衣服掛けの第２態様を示す斜視図である。図１６は、ジョイント部材の他例を示す側面図である。図中、符号２は本考案の伸縮式衣服掛けの第１態様であり、符号２ａは本考案の伸縮式衣服掛けの第２態様である。
【００１６】
まず、本考案の第１の態様の伸縮式衣服掛け２について、図１〜図１４に基づいて説明する。本考案の伸縮式衣服掛け２は、大別すると、衣服類を掛けるためのハンガー部材１０と、ハンガー部材１０を高さ方向（上下方向）に摺動自在な状態で支持する基台部材２０と、ハンガー部材１０と基台部材２０とを連結する一対のジョイント部材３０ａ，３０ｂとから構成されており、ハンガー部材１０の高さを自由に調節可能とされているものである。
【００１７】
ハンガー部材１０は、左右一対の内嵌サイドフレーム１２ａ，１２ｂの上端の夫々にエルボ１４ａ，１４ｂを嵌着し、このエルボ１４ａ，１４ｂにハンガーフレーム１６の両端を嵌着することにより、一対の内嵌サイドフレーム１２ａ，１２ｂの上端の間にハンガーフレーム１６を横架してなる（図５等参照）。内嵌サイドフレーム１２ａ，１２ｂ及びハンガーフレーム１６は、ステンレス等の金属材料からなる内部中空のパイプ材で構成され、また、エルボはＡＢＳ樹脂等のプラスチック材料により成形されている。
【００１８】
内嵌サイドフレーム１２ａ，１２ｂの相対向する内側面には、所定間隔で複数（図示例では５個）の係止凹部１３ａ〜１３ｅが夫々穿設されている（図５及び図６等参照）。係止凹部１３ａ〜１３ｅは、後述するジョイント部材３０ａ，３０ｂの係止爪３８が係合して、ハンガー部材１０を基台部材２０に対して係止するためのものである。係止凹部１３ａ〜１３ｅは、その夫々につき、上端を平坦面１５ａとされ、その下部を前記内嵌サイドフレームの内方から外方に向かう傾斜面１５ｂとされている（図８参照）。
【００１９】
内嵌サイドフレーム１２ａ，１２ｂの夫々の下端には、抜け落ち防止ストッパー１８ａ，１８ｂが嵌着されている（図６〜図８参照）。抜け落ち防止ストッパー１８ａ，１８ｂは、その外周面に凸部１９が形成されており、後述するジョイント部材３０の短尺円筒体３１の内壁の段部３１ａと係合するようにされ、高さ調節の際に内嵌サイドフレーム１２ａ，１２ｂが誤って抜け落ちるのを防止するものである。
【００２０】
基台部材２０は、ベースフレーム２２ａ，２２ｂとベースフレーム２２ａ，２２ｂの間に横架されたステー２３ａ，２３ｂからなる基台本体と、この基台本体の上方に立設された左右一対の外嵌サイドフレーム２６ａ，２６ｂとから構成されている（図９等参照）。外嵌サイドフレーム２６ａ，２６ｂには、ハンガー部材１０の内嵌サイドフレーム１２ａ，１２ｂが摺動自在な状態で嵌入される。従って、外嵌サイドフレーム２６ａ，２６ｂの内径は、内嵌サイドフレーム１２ａ，１２ｂの外径よりも大口径である必要がある。また、基台本体の四隅部分（ベースフレーム２２ａ，２２ｂの夫々の両端部）には、その下端面に回動自在な車輪を備えるキャスター２４ａ，２４ｂ，２４ｃ，２４ｄが付設されており、取り回し容易とされている。なお、ベースフレーム２２ａ，２２ｂ及び外嵌サイドフレーム２６ａ，２６ｂは、ステンレス等の金属材料からなる内部中空のパイプ材で構成されている。
【００２１】
ジョイント部材３０ａ，３０ｂは、外嵌サイドフレーム２６ａ，２６ｂの夫々の上端に冠着されるもので、ジョイント部材３０ａを例にとって説明すると、短尺円筒体３１とレバー３４とから構成されている（図１０〜図１４参照）。短尺円筒体３１には、貫通孔３１ｃが掘穿され、内壁には段部３１ａと凸条３１ｂが形成されている。なお、ジョイント部材３０は、ＡＢＳ樹脂等のプラスチック材料により成形すればよい。
【００２２】
貫通孔３１ｃは、レバー３４の係止爪３８を短尺円筒体３１の内方に貫通して突出させるための開口部である。また、段部３１ａは、外嵌サイドフレーム２６ａ，２６ｂの上端にジョイント部材３０を冠着した際の外嵌サイドフレーム２６ａ，２６ｂの上端に係合する部分であると共に、内嵌サイドフレーム１２ａ，１２ｂの下端に嵌着された抜け落ち防止ストッパー１８ａ，１８ｂの凸部１９と係合する部分である。凸条３１ｂは、外嵌サイドフレーム２６ａ，２６ｂの上端にジョイント部材３０を冠着する際の外嵌サイドフレーム２６ａ，２６ｂの上端部外周に当接する部分である。
【００２３】
レバー３４は、短尺円筒体３１の側部に突設された側片３２ａ，３２ｂに回動軸３５を介して軸支されており、スプリング３７によって常時内方に付勢されている。レバー３４の上端部には当接頭部３６が形成されており、当接頭部３６は短尺円筒体３１の貫通孔３１ｃの上方外縁に当接して、レバー３４が必要以上に内方に入り込むのを制止している。なお、レバー３４の下端部は、人の指で操作し易いように、表面に滑り止めの細かな凸凹が形成された押圧部３３とされている。
【００２４】
レバー３４の前端部には係止爪３８が突設されている。係止爪３８は、内嵌サイドフレーム１２ａ，１２ｂの係止凹部１３ａ〜１３ｅに係合する部分であり、係止凹部１３ａ〜１３ｅの形状に対応して、その上端を平坦面３８ａとされ、その下部を短尺円筒体３１の内方から外方に向かう傾斜面３８ｂとされている。
【００２５】
従って、ハンガー部材１０を上方に移動させる（高くする）場合は、係止爪３８の傾斜面３８ｂと係止凹部１３ａ〜１３ｅの傾斜面１５ｂとが滑動するので、特にレバー３４の操作は必要なく、ハンガー部材１０を上方に持ち上げるようにすればワンタッチでハンガー部材１０の高さを調節可能である。そして、衣服類を吊り下げる等して荷重が掛かった場合、係止爪３８の平坦面３８ａと係止凹部１３ａ〜１３ｅの平坦面１５ａとが係合して、ハンガー部材１０が係止されるので、レバー３４を操作しない限り、この係止が解除されることはなく、ハンガー部材１０が不用意に落下してしまうようなことはない。
【００２６】
また、ハンガー部材１０を下方に移動させる（低くする）場合は、レバー３４を押圧操作して、貫通孔３１ｃから突出した係止爪３８を引っ込めることで、係止爪３８と係止凹部１３ａ〜１３ｅとの係合が解除され、ハンガー部材１０は下方に滑落することとなる。
【００２７】
このような本考案の第１の態様の伸縮式衣服掛け２によれば、ワンタッチ操作で高さ調節を容易且つ確実に行うことのでき、従来のような高さ調節の際のネジ締めが不要となるので、ネジ締めの労力と手間が掛からず、フレームの固定不足による危険を皆無であり、また、左右の高さを簡単な操作で正確に揃えることができるので、面倒な作業や手間が掛からず、見た目もよく充分な強度と安定性を備え、さらに、優れた外観及び機能美を兼備できるものである。
【００２８】
次に、本考案の第２の態様の伸縮式衣服掛け２ａについて、図１５及び図１６に基づいて説明する。本考案の第２の態様の伸縮式衣服掛け２ａと、前記本考案の第１の態様の伸縮式衣服掛け２との違いは、（イ）ハンガー部材１０が第１ハンガー部材１０ａ及び第２ハンガー部材１０ｂとなって二対（４本）の内嵌サイドフレーム１２ｃ，１２ｄ，１２ｅ，１２ｆとなっている点、（ロ）基台部材２０の一対（２本）の外嵌サイドフレーム２６ａ，２６ｂが二対（４本）の外嵌サイドフレーム２６ｃ，２６ｄ，２６ｅ，２６ｆとなっている点、（ハ）ジョイント部材３０ａ，３０ｂがリブ４０ａ，４０ｂで二つの短尺円筒体３１を一体的に連成してなるジョイント部材３０ｃ，３０ｄとなっている点、である（図１５及び図１６参照）。以下の説明において、前記本考案の第１の態様の伸縮式衣服掛け２と同様の部分や部材については説明を省略する場合がある。
【００２９】
第１ハンガー部材１０ａ及び第２ハンガー部材１０ｂについては、前述したハンガー部材１０と同一構造のものであるので再度の重複した詳細な説明は省略するが、第１ハンガー部材１０ａは、内嵌サイドフレーム１２ｃ，１２ｄの上端の間にエルボを介してハンガーフレーム１６ａを横架してなり、第２ハンガー部材１０ｂは内嵌サイドフレーム１２ｅ，１２ｂの上端の間にエルボを介してハンガーフレーム１６ｂを横架してなるものである（図１５参照）。
【００３０】
基台部材２０ａは、基台部材２０と同様の基台本体を有し、この基台本体の上方に立設された左右二対（４本）の外嵌サイドフレーム２６ｃ，２６ｄ，２６ｅ，２６ｆが立設され、外嵌サイドフレーム２６ｃ，２６ｄ，２６ｅ，２６ｆには、夫々、ハンガー部材１０ａ，１０ｂの内嵌サイドフレーム１２ｃ，１２ｄ，１２ｅ，１２ｆが摺動自在な状態で嵌入される。基台部材２０ａの基台本体は、基台部材２０の場合と同様に、ベースフレーム２２ａ，２２ｂとベースフレーム２２ａ，２２ｂの間に横架されたステー２３ａ，２３ｂから構成され、基台本体の四隅部分（ベースフレーム２２ａ，２２ｂの夫々の両端部）には、その下端面に回動自在な車輪を備えるキャスター２４ａ，２４ｂ，２４ｃ，２４ｄが付設されている。
【００３１】
ジョイント部材３０ｃ，３０ｄは、夫々、リブ４０ａ，４０ｂで二つの短尺円筒体３１を一体的に連成してなるものである（図１５及び図１６参照）。リブ４０ａ，４０ｂ以外の短尺円筒体３１やレバー３４は、前述したジョイント部材３０ａ，３０ｂの場合と同様の構造を有するものであるので再度の重複した詳細な説明は省略するが、短尺円筒体３１には夫々に側片３２ａ，３２ｂが突設され、側片３２ａ，３２ｂには当接頭部３６や押圧部３３を備えるレバー３４が軸支されている。リブ４０ａ，４０ｂには、軽量化や材料費の観点から貫通孔４２が適宜穿設される（図１６参照）。リブ４０ａ，４０ｂはＡＢＳ樹脂等のプラスチック材料により成形すればよい。そして、ジョイント部材３０ｃ，３０ｄを外嵌サイドフレーム２６ｃ，２６ｄ，２６ｅ，２６ｆの夫々の上端に一対側（外嵌サイドフレーム２６ｃ，２６ｆの対の側）から他対側（外嵌サイドフレーム２６ｄ，２６ｅの対の側）にリブ４０ａ，４０ｂを掛架するように冠着する。このようにリブ４０ａ，４０ｂを掛架することで、基台部材２０ａの安定性や強度が増すので好ましい。
【００３２】
このような本考案の第２の態様の伸縮式衣服掛け２ａによっても、前述した本考案の第１の態様の伸縮式衣服掛け２と同様、ワンタッチ操作で高さ調節を容易且つ確実に行うことのでき、従来のような高さ調節の際のネジ締めが不要となるので、ネジ締めの労力と手間が掛からず、フレームの固定不足による危険を皆無であり、また、左右の高さを簡単な操作で正確に揃えることができるので、面倒な作業や手間が掛からず、見た目もよく充分な強度と安定性を備え、さらに、優れた外観及び機能美を兼備できる。
【図面の簡単な説明】
【００３３】
【図１】本考案の伸縮式衣服掛けの第１態様を示す斜視図である。
【図２】図１の正面図である。
【図３】図２の側面図である。
【図４】図２のＡ−Ａ断面図である。
【図５】ハンガー部材を示す正面図である。
【図６】図５のＢ−Ｂ断面図である。
【図７】図６の下端部拡大図である。
【図８】図７のＣ−Ｃ断面図である。
【図９】基台部材を示す正面図である。
【図１０】ジョイント部材の一例を示す正面図である。
【図１１】図１０の側面図である。
【図１２】図１０の平面図である。
【図１３】図１０の底面図である。
【図１４】図１０のＤ−Ｄ断面図である。
【図１５】本考案の伸縮式衣服掛けの第２態様を示す斜視図である。
【図１６】ジョイント部材の他例を示す側面図である。
【符号の説明】
【００３４】
２：本考案の第１態様の伸縮式衣服掛け、２ａ：本考案の第２態様の伸縮式衣服掛け、１０，１０ａ，１０ｂ：ハンガー部材、１２ａ，１２ｂ，１２ｃ，１２ｄ，１２ｅ，１２ｆ：内嵌サイドフレーム、１３ａ，１３ｂ，１３ｃ，１３ｅ：係止凹部、１４ａ，１４ｂ：エルボ、１５ａ：平坦面、１５ｂ：傾斜面、１６，１６ａ，１６ｂ：ハンガーフレーム、１８ａ，１８ｂ：抜け落ち防止ストッパー、１９：凸部、２０，２０ａ：基台部材、２２ａ，２２ｂ：ベースフレーム、２３ａ，２３ｂ：ステー、２４ａ，２４ｂ，２４ｃ，２４ｄ：キャスター、２６ａ，２６ｂ，２６ｃ，２６ｄ，２６ｅ，２６ｆ：外嵌サイドフレーム、３０ａ，３０ｂ，３０ｃ，３０ｄ：ジョイント部材、３１ｃ：貫通孔、３１：短尺円筒体、３１ａ：段部、３１ｂ：凸条、３２ａ，３２ｂ：側片、３３：押圧部、３４：レバー、３５：回動軸、３６：当接頭部、３７：スプリング、３８：係止爪、３８ａ：平坦面、３８ｂ：傾斜面、４０ａ，４０ｂ：リブ、４２：貫通孔。
【図１】
0003110836.tif 000003
【図２】
0003110836.tif 000004
【図３】
0003110836.tif 000005
【図４】
0003110836.tif 000006
【図５】
0003110836.tif 000007
【図６】
0003110836.tif 000008
【図７】
0003110836.tif 000009
【図８】
0003110836.tif 000010
【図９】
0003110836.tif 000011
【図１０】
0003110836.tif 000012
【図１１】
0003110836.tif 000013
【図１２】
0003110836.tif 000014
【図１３】
0003110836.tif 000015
【図１４】
0003110836.tif 000016
【図１５】
0003110836.tif 000017
【図１６】
0003110836.tif 000018